【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
データ処理機器によって実行される、コンテンツ項目をターゲティングする方法であって、
キャンペーンに関連する掲載場所の基準を受信する段階を含み、前記掲載場所の基準は、前記キャンペーンに関連する広告が少なくとも１つのウェブ資産に関連するページキーワードと無関係に前記少なくとも１つのウェブ資産にターゲティングされる前記少なくとも１つのウェブ資産を指定し、
前記方法は、前記キャンペーンに関連するターゲットキーワードを受信する段階をさらに含み、各ターゲットキーワードは、前記少なくとも１つのウェブ資産と共に提示するために前記キャンペーンに関連する広告が提供されるために、前記少なくとも１つのウェブ資産についてのページキーワードが合致しなければならない少なくとも１つの用語を指定し、
前記方法は、コンテンツ項目が提供されるべき要求側ウェブ資産を定義するデータを含む、コンテンツ項目についてのコンテンツ項目要求を受信する段階をさらに含み、
前記方法は、前記要求側ウェブ資産が満たす掲載場所の基準を識別する段階をさらに含み、前記識別は、前記要求側ウェブ資産に関連するページキーワードと無関係であり、
前記方法は、
前記要求側ウェブ資産に関連する１つまたは複数のページキーワードが合致する１つまたは複数のターゲットキーワードを識別する段階と、
前記要求側ウェブ資産と共に提供されるべきコンテンツ項目を選択する段階と、
をさらに含み、前記選択されたコンテンツ項目は、
前記キャンペーンと、
前記要求側ウェブ資産についての１つまたは複数のページキーワードのうちの少なくとも１つが合致する少なくとも１つのターゲットキーワードと、
前記要求側ウェブ資産に関連する１つまたは複数のページキーワードと無関係に前記要求側ウェブ資産が満たす少なくとも１つの掲載場所の基準とに関連し、
前記方法は、前記要求側ウェブ資産と共に提示するために前記選択されたコンテンツ項目を提供する段階をさらに含む方法。
【請求項２】
前記掲載場所の基準を受信する段階は、前記広告に関連するドメインの特徴を受信する段階を含み、
前記要求側ウェブ資産が満たす掲載場所の基準を識別する段階は、前記要求側ウェブ資産のドメインの特徴が合致する広告に関連するドメインの特徴を判定する段階を含み、前記判定は、前記要求側ウェブ資産に関連する１つまたは複数のページキーワードと無関係に行われる請求項１に記載の方法。
【請求項３】
前記ドメインの特徴を受信する段階は、前記要求側ウェブ資産についてのウェブサイトのアドレス、URLのうちの１つまたは複数を受信する段階を含む請求項２に記載の方法。
【請求項４】
前記掲載場所の基準を受信する段階はウェブページのアドレスを受信する段階を含み、前記ウェブ資産はウェブページを含む請求項１に記載の方法。
【請求項５】
前記選択されたコンテンツ項目は、前記キャンペーンと、前記少なくとも１つのターゲットキーワードと、前記少なくとも１つの掲載場所の基準とに関連する広告である請求項１に記載の方法。
【請求項６】
受信される前記掲載場所の基準および前記ターゲットキーワードをユーザが選択することを可能にするユーザインターフェースを提供する段階をさらに含む請求項５に記載の方法。
【請求項７】
前記ウェブ資産と共に広告が提供されるために広告主が支払う価格を指定する広告のつけ値を受信する段階をさらに含む請求項５に記載の方法。
【請求項８】
前記広告のつけ値を受信する段階は、前記ターゲットキーワードに関連するページキーワードを有する任意のウェブ資産と共に提供される広告について一定である広告のつけ値を受信する段階を含む請求項７に記載の方法。
【請求項９】
前記広告のつけ値を受信する段階は、前記掲載場所の基準に従って変化する広告のつけ値を受信する段階を含む請求項７に記載の方法。
【請求項１０】
コンテンツ項目を発行者にターゲティングするシステムであって、
掲載場所の基準を受信および格納し、ターゲットキーワードを受信および格納する基準記憶装置を備え、前記掲載場所の基準およびターゲットキーワードの各々は、複数のコンテンツ項目を含むコンテンツキャンペーンに関連し、前記複数のコンテンツ項目の各々は、前記格納された掲載場所の基準のうちの少なくとも１つ、および前記格納されたターゲットキーワードのうちの少なくとも１つに関連し、前記掲載場所の基準の各々は、それぞれのコンテンツ項目が少なくとも１つのウェブ資産に関連するページキーワードと無関係に前記少なくとも１つのウェブ資産にターゲティングされる前記少なくとも１つのウェブ資産を指定し、
前記システムは、前記格納された掲載場所の基準に対してウェブ資産を評価し、前記ウェブ資産が満たす前記格納された掲載場所の基準のサブセットを識別する掲載場所識別エンジンをさらに備え、前記識別は、前記ウェブ資産に関連するページキーワードと無関係であり、
前記システムは、
前記格納されたターゲットキーワードに対して前記ウェブ資産を評価し、前記ウェブ資産が満たす前記格納されたターゲットキーワードのサブセットを識別するキーワードエンジンと、
前記ウェブ資産が満たす前記格納された掲載場所の基準の識別されたサブセットに基づいて、かつ、前記ウェブ資産が満たす前記格納されたターゲットキーワードに基づいて、前記複数のコンテンツ項目のうちの１つを識別し、前記識別されたコンテンツ項目を前記ウェブ資産と共に提示するために提供するコンテンツ項目識別エンジンと、
をさらに備えるシステム。
【請求項１１】
前記掲載場所の基準は、前記ウェブ資産に関連するドメインの特徴を含み、
前記ウェブ資産が満たす前記格納された掲載場所の基準のサブセットは、前記ウェブ資産のドメインの特徴が合致するコンテンツキャンペーンに関連するドメインの特徴を含み、前記判定は、要求側ウェブ資産に関連する１つまたは複数のページキーワードと無関係に行われる請求項１０に記載のシステム。
【請求項１２】
前記ドメインの特徴は、ウェブサイトのアドレスまたはURLのうちの１つまたは複数を含む請求項１１に記載のシステム。
【請求項１３】
前記掲載場所の基準はウェブページのアドレスを含む請求項１０に記載のシステム。
【請求項１４】
前記コンテンツ項目は広告である請求項１０に記載のシステム。
【請求項１５】
前記コンテンツ項目識別エンジンは、前記ウェブ資産と共に前記コンテンツ項目が提示されるために広告主が支払う価格を指定する広告のつけ値を受信するように動作可能である請求項１４に記載のシステム。
【請求項１６】
前記広告のつけ値は前記掲載場所の基準に従って変化する請求項１５に記載のシステム。
【請求項１７】
広告をターゲティングする装置であって、
掲載場所の基準およびターゲットキーワードを受信する手段を備え、前記掲載場所の基準は、広告が少なくとも１つのウェブ資産に関連するページキーワードと無関係に前記少なくとも１つのウェブ資産にターゲティングされる前記少なくとも１つのウェブ資産を指定し、
前記装置は、広告が提供されるべきウェブ資産が満たす掲載場所の基準を識別する手段をさらに備え、前記識別は、前記広告が提供されるべきウェブ資産に関連するページキーワードと無関係であり、
前記装置は、
前記広告が提供されるべきウェブ資産が満たすターゲットキーワードを識別する手段と、
前記ウェブ資産と共に提供されるべきコンテンツ項目を識別する手段と、
をさらに備え、
前記識別されたコンテンツ項目は、キャンペーンに関連し、前記ウェブ資産が満たすターゲットキーワードに関連し、前記ウェブ資産が満たす少なくとも１つの掲載場所の基準に関連し、
前記装置は、前記ウェブ資産と共に提示するために前記識別されたコンテンツ項目を提供する手段をさらに備える装置。
【請求項１８】
コンテンツ項目をターゲティングする方法であって、
掲載場所の基準およびターゲットキーワードをデータ記憶装置内に格納する段階と、
複数のコンテンツ項目の各々が、少なくとも、前記格納された掲載場所の基準のうちの１つおよび前記格納されたターゲットキーワードのうちの１つに関連するように、前記格納された掲載場所の基準および前記格納されたターゲットキーワードを、前記複数のコンテンツ項目を含むキャンペーンに関連させる段階と、を含み、それぞれのコンテンツ項目が関連する掲載場所の基準は、それぞれのコンテンツ項目がターゲティングされる少なくとも１つのウェブ資産を指定し、
前記方法は、
コンテンツ項目が提供されるべきウェブ資産を定義するデータを含む、コンテンツ項目についてのコンテンツ項目要求を受信する段階と、
前記格納された掲載場所の基準に対して前記ウェブ資産を評価し、前記ウェブ資産が満たす前記格納された掲載場所の基準のサブセットを識別する段階と、をさらに含み、前記評価は、前記ウェブ資産に関連するページキーワードと無関係であり、
前記方法は、
前記格納されたターゲットキーワードに対して前記ウェブ資産を評価し、前記ウェブ資産が満たす前記格納されたターゲットキーワードのサブセットを識別する段階と、
前記ウェブ資産が満たす前記格納された掲載場所の基準および前記格納されたターゲットキーワードの識別されたサブセットに基づいて、前記複数のコンテンツ項目のうちの１つを識別する段階と、
前記識別されたコンテンツ項目を前記ウェブ資産と共に提示するために提供する段階と、
をさらに含む方法。